(57)【要約】【課題】照射面の大きさを調整する作業の作業性を向上させた照明器具用操作具および照明器具を提供する。【解決手段】照明器具は、開口部にレンズが取着された灯体１と、光源を保持して灯体１内に配置されるソケット部と、灯体１の後面に回転自在に取着されたフォーカス摘み８と、フォーカス摘み８の回動操作に応じて光源のレンズに対する光軸方向においてソケット部を前後動させる駆動部と、操作具１１とを備える。操作具１１は、フォーカス摘み８に着脱自在に取着される取付部１２と、取付部１２の後面中央に一方の横棒部１３ａの先端が連結されたクランクハンドル１３とで構成され、クランクハンドル１３の他方の横棒部１３ｂに回動自在に取着されたスペーサ１４を手に持って回すことで、フォーカス摘み８を回転させることができる。【選択図】図１
2005332624.tif 000002
【特許請求の範囲】
【請求項１】
開口部にレンズが取着された灯体と、光源を保持して前記灯体の内部に配置されるソケット部と、灯体の表面に回転自在に取り付けられた手で握って回すためのフォーカス摘みと、当該フォーカス摘みの回動操作に応じて前記光源の前記レンズに対する光軸方向において前記ソケット部を前後動させる駆動部とを備えた照明器具に用いられる照明器具用操作具であって、前記フォーカス摘みに着脱自在に取り付けられる取付部と、該取付部と一体的に設けられ、前記フォーカス摘みの回転軸に対して偏芯した位置で、前記回転軸を中心に回転自在に配置されるハンドル部とを備えて成ることを特徴とする照明器具用操作具。
【請求項２】
前記取付部は、前記フォーカス摘みの回転軸方向と略平行な方向から前記フォーカス摘みに取り付けられることを特徴とする請求項１記載の照明器具用操作具。
【請求項３】
前記取付部は、前記フォーカス摘みの回転軸方向と略垂直な方向から前記フォーカス摘みに取り付けられることを特徴とする請求項１記載の照明器具用操作具。
【請求項４】
開口部にレンズが取着された灯体と、光源を保持して前記灯体の内部に配置されるソケット部と、灯体の表面に回転自在に取り付けられた手で握って回すためのフォーカス摘みと、当該フォーカス摘みの回動操作に応じて前記光源の前記レンズに対する光軸方向において前記ソケット部を前後動させる駆動部と、請求項１〜３の何れか１つに記載の照明器具用操作具とを備えて成ることを特徴とする照明器具。
【発明の詳細な説明】
【技術分野】
【０００１】
本発明は、照明器具用操作具および照明器具に関するものである。
【背景技術】
【０００２】
従来より、舞台やスタジオなどで使用されるスポットライト型の照明器具が提供されている（例えば特許文献１参照）。図１３はこのような照明器具の断面図を示し、略円筒状の灯体１の軸方向一端側（前側）に設けた開口部に平凸レンズ又はフレネルレンズからなるレンズ２を配置するとともに、灯体１の内部にスライド台６を前後方向において移動自在に配置してある。スライド台６にはランプ３を保持するソケット４と、反射鏡５を支持する支持台５ａとが取り付けられている。また灯体１には丸棒状のガイド棒７ａが回動自在に支持されており、このガイド棒７ａの周面に形成されたねじ溝（図示せず）に嵌るガイドピンがスライド台６に設けられている。ガイド棒７ａの後端は灯体１の後面から外側に突出しており、その先端には手で握って操作するためのフォーカス摘み８が取り付けられている。
【０００３】
また図１４（ａ）（ｂ）は照明器具の外観斜視図を示しており、灯体１の周面には、コ字形のアーム９の両側片９ａの先端部がそれぞれ回動自在に取り付けられ、ロック摘み２０を締め付けて、灯体１の周面との間に側片９ａの先端部を挟持することで、アーム９の回転位置がロックされるようになっている。また灯体１の後面には、灯体１をアーム９の周りに回転させる際に灯体１を手で持って回すための取っ手１０が取着されている。
【０００４】
ところで、この照明器具ではフォーカス摘み８を操作することで照射面の大きさを変化させることができるようになっている。すなわちフォーカス摘み８を手で握って回すと、ガイド棒７ａが回動し、ガイド棒７ａのねじ溝内をガイドピンが移動することによって、スライド台６がランプ３のレンズ２に対する光軸方向において前後動する。このときスライド台６と共にランプ３および反射鏡５が前後動し、ランプ３および反射鏡５とレンズ２との間の距離が変化するので、照射面の大きさが変化するのである。
【特許文献１】特開平７−１１４８１６号公報（段落番号［００２５］，［００２６］および図４）
【発明の開示】
【発明が解決しようとする課題】
【０００５】
上述の照明器具の灯体１は、アーム９を介して舞台やスタジオの昇降バトンに取り付けて使用する場合や、スタンドに取り付けて使用する場合があるため、持ち運びが容易なように灯体１はできるだけ小さくする方が望ましく、またアーム９も灯体１の後面に配置されたフォーカス摘み８や取っ手１０に干渉しない範囲でできるだけ小さくすることが望まれている。そのため、フォーカス摘み８もできるだけ小型にするのが望ましく、操作性が犠牲になっていた。
【０００６】
また舞台やスタジオで使用される場合、舞台公演やスタジオ撮影を行う度に灯体１の後面に設けたフォーカス摘み８を操作して、照射面の大きさを所望の大きさに調整しているので、フォーカス摘み８を操作する頻度が多く、またフォーカス摘み８は手で握って回されるため、手の可動範囲を超えてフォーカス摘み８を回す場合は、フォーカス摘み８を何度も握り直して回転させねばならず、作業性が悪いという問題があった。特に、照射面の大きさを最小から最大にする場合、或いは、最大から最小にする場合はフォーカス摘み８を回転させる回数が多いので、フォーカス摘み８を握り直す回数も多くなり、調整作業に長時間が必要になっていた。また、舞台公演やスタジオ撮影では多数の照明器具を使用することになり、使用する台数に比例して照射面の大きさを調整する作業量が増加するから、１台当たりの調整作業に要する作業時間をできるだけ短くすることが望まれている。
【０００７】
本発明は上記問題点に鑑みて為されたものであり、その目的とするところは、照射面の大きさを調整する作業の作業性を向上させた照明器具用操作具および照明器具を提供することにある。
【課題を解決するための手段】
【０００８】
上記目的を達成するために、請求項１の発明は、開口部にレンズが取着された灯体と、光源を保持して灯体の内部に配置されるソケット部と、灯体の表面に回転自在に取り付けられた手で握って回すためのフォーカス摘みと、当該フォーカス摘みの回動操作に応じて光源のレンズに対する光軸方向においてソケット部を前後動させる駆動部とを備えた照明器具に用いられる照明器具用操作具であって、フォーカス摘みに着脱自在に取り付けられる取付部と、該取付部と一体的に設けられ、フォーカス摘みの回転軸に対して偏芯した位置で、回転軸を中心に回転自在に配置されるハンドル部とを備えて成ることを特徴とする。
【０００９】
請求項２の発明は、請求項１の発明において、取付部は、フォーカス摘みの回転軸方向と略平行な方向からフォーカス摘みに取り付けられることを特徴とする。
【００１０】
請求項３の発明は、請求項１の発明において、取付部は、フォーカス摘みの回転軸方向と略垂直な方向からフォーカス摘みに取り付けられることを特徴とする。
【００１１】
請求項４の発明は、開口部にレンズが取着された灯体と、光源を保持して灯体の内部に配置されるソケット部と、灯体の表面に回転自在に取り付けられた手で握って回すためのフォーカス摘みと、当該フォーカス摘みの回動操作に応じて光源のレンズに対する光軸方向においてソケット部を前後動させる駆動部と、請求項１〜３の何れか１つに記載の照明器具用操作具とを備えて成ることを特徴とする。
【発明の効果】
【００１２】
請求項１の発明によれば、照明器具の備えるフォーカス摘みに取付部を取り付けることによって照明器具用操作具がフォーカス摘みに連結され、フォーカス摘みの回転軸と偏芯した位置に回転自在に配置されるハンドル部を手に持って回すことで、フォーカス摘みを回すことができるから、フォーカス摘みを直接手で握って回す場合のようにフォーカス摘みを握り直すことなく何回転でも回すことができ、照射面の大きさを調整する作業の作業性が向上するという効果がある。
【００１３】
請求項２の発明によれば、取付部をフォーカス摘みの回転軸方向と略平行な方向から取り付けているので、フォーカス摘みの回転軸方向に沿って取付部に荷重を与え、この取付部をフォーカス摘みに押し付けることで、回転作業を安定して行えるという効果がある。
【００１４】
請求項３の発明によれば、取付部をフォーカス摘みの回転軸方向と略垂直な方向から取り付けているので、フォーカス摘みの回転軸方向において取付部の位置がずれにくくなり、回転作業を安定して行えるという効果がある。
【００１５】
請求項４の発明によれば、フォーカス摘みに取付部を取り付けることによって照明器具用操作具がフォーカス摘みに連結され、フォーカス摘みの回転軸と偏芯した位置に回転自在に配置されるハンドル部を手に持って回すことで、フォーカス摘みを回すことができるから、フォーカス摘みを直接手で握って回す場合のようにフォーカス摘みを握り直すことなく何回転でも回すことができ、照射面の大きさを調整する作業の作業性を向上させた照明器具を提供することができる。
【発明を実施するための最良の形態】
【００１６】
以下に本発明の実施の形態を図面に基づいて説明する。
（実施形態１）
本発明に係る照明器具用操作具を用いた照明器具の一実施形態を図１〜図９に基づいて説明する。照明器具の基本的な構成は、図１３及び図１４す従来の照明器具と略同様であり、略円筒状の灯体１の軸方向一端側（前側）に設けられた開口部に平凸レンズ又はフレネルレンズからなるレンズ（図示せず）を配置するとともに、灯体１の内部にスライド台６を前後方向において移動自在に配置してある（図７参照）。このスライド台６にはランプ３を保持するソケット４と、反射鏡５を支持する支持台５ａとが取り付けられており、反射鏡５はランプ３に対してレンズ２と反対側に配置されている。
【００１７】
図７及び図８はスライド台６を、ランプ３のレンズ２に対する光軸方向（前後方向）において前後動させる駆動部の構成を示しており、この駆動部は、スライド台６を前後方向に貫通する丸孔６ａ，６ｂ内にそれぞれ挿通されるとともに、灯体１に回動自在に支持された丸棒状のガイド棒７ａ，７ｂと、一方のガイド棒７ａの周面に形成されたねじ溝７ｃと、スライド台６にねじ固定されて、ねじ足の先端がねじ溝７ｃ内に嵌るガイド用のねじ６ｃ（ガイドピン）とで構成され、灯体１の後面から外部に突出するガイド棒７ａの先端には手で握って操作するためのフォーカス摘み８が取り付けられている。フォーカス摘み８の周面には手で握りやすいように複数の凹曲面８ａが略一定の角度毎に形成されており、このフォーカス摘み８を手で握って回転させると、ガイド棒７ａが回転し、ねじ６ｃのねじ足がねじ溝７ｃ内を移動することによって、スライド台６が前後方向（光軸方向）に移動するのである。なお、２本のガイド棒７ａ，７ｂは軸方向の両端部が灯体１に対して枢支されており、軸方向には移動することがない。
【００１８】
次に、フォーカス摘み８に着脱自在に取り付けられる照明器具用操作具（以下、操作具と略称す）１１の構造を図２及び図３に基づいて説明する。操作具１１は、前面にフォーカス摘み８が嵌合する嵌合穴１２ａが形成された略円柱状の取付部１２と、取付部１２の後面中央に一端側の横棒部１３ａが連結されたクランクハンドル１３と、クランクハンドル１３の他端側の横棒部１３ｂに回動自在に取り付けられたスペーサ１４とで構成される。
【００１９】
取付部１２の嵌合穴１２ａはフォーカス摘み８の外形形状に合わせた形状に形成されており、図１（ａ）（ｂ）に示すようにフォーカス摘み８の回転軸方向と略平行な方向（後側）から取付部１２をフォーカス摘み８に近付けて、取付部１２の嵌合穴１２ａ内にフォーカス摘み８を嵌め込むことにより、フォーカス摘み８に着脱自在に装着される。このときクランクハンドル１３の横棒部１３ａはフォーカス摘み８の回転軸と同心に配置され、横棒部１３ｂおよびスペーサ１４はフォーカス摘み８の回転軸に対して偏芯した位置で、回転軸を中心に回転自在に配置されており、クランクハンドル１３の横棒部１３ｂとスペーサ１４とでハンドル部が構成される。なお操作具１１を装着させた状態では、フォーカス摘み８の周面の凹曲面８ａに嵌合穴１２ａの内側面に設けた突起１２ｂが密着することで、取付部１２がフォーカス摘み８にがたつきなく装着させるようになっている。一方、操作具１１をフォーカス摘み８から取り外す際には、操作具１１全体を後側に引っ張ると、フォーカス摘み８と嵌合穴１２ａとの嵌合が外れるので、操作具１１を容易に取り外すことができる。
【００２０】
そして、操作具１１をフォーカス摘み８に装着した状態でクランクハンドル１３の横棒部１３ｂに回動自在に取着されたスペーサ１４を手で持って回転させると、操作具１１を介してフォーカス摘み８を回転させることができる。照射面の大きさを調整する際、従来の照明器具のようにフォーカス摘み８を直接手で握って回す場合は手の可動範囲を超えてフォーカス摘み８を回そうとすると、フォーカス摘み８を何度も持ち直して回転させる必要があるが、本実施形態ではクランクハンドル１３の横棒部１３ｂに回転自在に取着されたスペーサ１４を手に持って回すため、スペーサ１４を握り直すことなく何回転でも回すことができ、従来に比べて調整作業の作業性が向上する。なお、スペーサ１４を無くして横棒部１３ｂを直接手に持って回すようにしても良く、この場合は横棒部１３ｂを持つ手を緩めることで横棒部１３ｂを手の中で滑らせることができるから、横棒部１３ｂを握り直すことなく何回転でも回転させることができ、従来に比べて操作性が向上する。
【００２１】
なお本実施形態では取付部１２の前面に設けた嵌合穴１２ａ内にフォーカス摘み８を嵌め込むことで、操作具１１をフォーカス摘み８に装着させているが、取付部１２の構造を上記のものに限定する趣旨のものではなく、フォーカス摘み８の回転軸方向と略平行な方向からフォーカス摘み８に取り付けられるのであれば取付部の形状はどのような形状のものでも良い。
【００２２】
例えば図４（ａ）（ｂ）に示すように後面の中央にクランクハンドル１３の横棒部１３ａが連結された円板部１５ａと、この円板部１５ａの前面側においてフォーカス摘み８の凹曲面８ａに対応する位置に突設された丸棒状の複数の突起部１５ｂとで取付部１５を構成しても良く、この操作具１１をフォーカス摘み８に装着させる際は、突起部１５ｂと凹曲面８ａの位置を合わせて取付部１５を回転軸方向と略平行な方向（後側）からフォーカス摘み８に近付けると突起部１５ｂが凹曲面８ａに嵌って、操作具１１がフォーカス摘み８に装着される。このとき、隣接する２つの凹曲面８ａの間の突出部８ｅが隣接する２つの突起部１５ｂの間に挟まれることで、フォーカス摘み８の回転方向においてフォーカス摘み８と操作具１１との位置ずれが防止される。一方、操作具１１をフォーカス摘み８から取り外す際には、操作具１１全体を後側に引っ張ると、フォーカス摘み８が突起部１５ｂの間から抜けるので操作具１１を容易に取り外すことができる。
【００２３】
そして、操作具１１をフォーカス摘み８に装着させた状態で、クランクハンドル１３の横棒部１３ｂに装着されたスペーサ１４を手で持って回転させると、操作具１１を介してフォーカス摘み８が回されて、照射面の大きさが調整される。なお突起部１５ｂの表面を、弾性を有する合成樹脂の被膜で覆うようにしても良く、突起部１５ｂの表面を覆う皮膜がフォーカス摘み８の突出部８ｅと接触することによって、突起部１５ｂの被膜とフォーカス摘み８の突出部８ｅとの間の摩擦力が大きくなり、操作具１１をフォーカス摘み８に対してがたつき無く取り付けることができる。
【００２４】
また上述の取付部１２，１５ではフォーカス摘み８の外周面に設けた凹曲面８ａに取付部１２の嵌合穴１２ａ或いは取付部１５の突起部１５ｂを係合させているが、図５（ａ）に示すようにフォーカス摘み８の表面（後面）に四角穴からなる嵌合穴８ｂを形成するとともに、クランクハンドル１３の横棒部１３ａの先端に嵌合穴８ｂと嵌合する四角柱状の嵌合突起１３ｃを形成しても良い。この操作具１１をフォーカス摘み８に装着させる際は、取付部としての嵌合突起１３ｃと嵌合穴８ｂの位置を合わせて、クランクハンドル１３の横棒部１３ａを回転軸方向と略平行な方向（後側）からフォーカス摘み８に近付けると、横棒部１３ａの嵌合突起１３ｃが嵌合穴８ｂに嵌合して、フォーカス摘み８に装着させることができる。なおこの操作具１１を取り外す際には、操作具１１を後側に引っ張ると、横棒部１３ａの嵌合突起１３ｃが嵌合穴８ｂから抜けるので、フォーカス摘み８から容易に取り外すことができる。
【００２５】
また図５（ａ）の操作具１１では、フォーカス摘み８の表面に嵌合穴８ｂを形成するとともに、クランクハンドル１３の横棒部１３ａの先端に嵌合穴８ｂと嵌合する嵌合突起１３ｃを形成しているが、図５（ｂ）に示すように、フォーカス摘み８の表面に四角柱状の嵌合突起８ｃを形成するとともに、クランクハンドル１３の横棒部１３ａの先端に嵌合突起８ｃと嵌合する四角穴からなる嵌合穴１３ｄを形成しても良く、この操作具１１をフォーカス摘み８に装着させる際は、取付部としての嵌合穴１３ｄと嵌合突起８ｃの位置を合わせてクランクハンドル１３の横棒部１３ａを回転軸方向と略平行な方向（後側）からフォーカス摘み８に近付けると、横棒部１３ａの嵌合穴１３ｄが嵌合突起８ｃに嵌合して、フォーカス摘み８に装着される。一方、この操作具１１を取り外す際には、操作具１１を後側に引っ張ると、横棒部１３ａの嵌合穴１３ｄから嵌合突起８ｃが抜けるので、フォーカス摘み８から容易に取り外すことができる。なお、フォーカス摘み８の表面に嵌合突起８ｃを形成した場合は、このフォーカス摘み８を手で握る際に嵌合突起８ｃが邪魔になる可能性があるので、図５（ａ）に示すようにフォーカス摘み８の表面に嵌合穴８ｂを形成するとともに、クランクハンドル１３の横棒部１３ａの先端に嵌合穴８ｂと嵌合する嵌合突起１３ｃを形成する方が好ましい。
【００２６】
またフォーカス摘み８の表面にねじ穴を形成するとともに、クランクハンドル１３の横棒部１３ａの先端にねじ部を形成し、クランクハンドル１３のねじ部をフォーカス摘み８のねじ穴に螺入することで、操作具１１とフォーカス摘み８とを結合させても良く、操作具１１がフォーカス摘み８にがたつき無く取り付けられるから、操作具１１を用いてフォーカス摘み８を安定に回転させることができる。但し照明器具の台数が多い場合は、操作具１１をフォーカス摘み８にねじ結合する作業が増えるため、全体の作業量を考えると図２〜図５に示すように操作具１１をフォーカス摘み８に対して回転軸方向と略平行な方向から取り付け、回転軸方向に荷重をかけて操作具１１をフォーカス摘み８に密着させつつ、回転させる方が作業性が良好である。
【００２７】
また、上述の図２〜図５に示す操作具１１ではクランクハンドル１３の横棒部１３ｂのみにスペーサ１４を取り付けているが、図６（ａ）（ｂ）に示すように横棒部１３ａ，１３ｂの両方に対してスペーサ１４を回動自在に取り付けても良く、横棒部１３ａに取り付けられたスペーサ１４を片方の手で持って、取付部１２がフォーカス摘み８から外れないように押さえながら、もう片方の手で横棒部１３ｂに取り付けたスペーサ１４を持って回転させることができるから、より安定に横棒部１３ｂを回転させることができる。
【００２８】
ところで、ガイド棒７ａに設けたねじ溝７ｃのピッチが小さいと、フォーカス摘み８を回転させるのに必要な力が小さくて済むものの、スライド台６の移動距離が長い場合はスライド台６を端から端まで移動させるために、フォーカス摘み８を回転させる回数が増えることになる。また、照射面の大きさを調整する際に、「スライド台６を一番手前に動かした位置からフォーカス摘み８を２回転した位置に調整する」というような調整方法では、先ずスライド台６を一番手前に移動させるためにフォーカス摘みを回転させた後、さらに所定位置まで移動させるのに規定回数回すため、フォーカス摘み８を回す回数が多くなり、また舞台やスタジオなどで使用する場合は公演毎、場面毎に照射面の大きさを調整する場合もあり、このような場合はフォーカス摘み８を操作する回数がさらに増えるため調整作業が膨大になる。そこで、ガイド棒７ａに形成したねじ溝７ｃの数をできるだけ少なくするのが好ましく、図９に示すようにスライド台６の移動範囲内でねじ溝７ｃを１回転分だけ形成すれば、フォーカス摘み８を回すのに必要な力は大きくなるものの、フォーカス摘み８を１回転させるだけでスライド台６を移動範囲の端から端まで移動させることができ、照射面の大きさを調整するためにフォーカス摘み８を回転させる回数、すなわちフォーカス摘み８を持ち直す回数を減らすことができるから、調整作業の作業性が向上するという利点がある。
【００２９】
（実施形態２）
本発明に係る照明器具用操作具を用いた照明器具の他の実施形態を図１０及び図１１に基づいて説明する。尚、操作具１１以外の照明器具の構成は実施形態１と同様であるので、共通する構成要素については同一の符号を付して、その説明は省略する。
【００３０】
上述の実施形態１では、操作具１１の取付部をフォーカス摘み８の回転軸方向と略平行な方向からフォーカス摘み８に取り付けているのに対して、本実施形態では操作具１１の取付部をフォーカス摘み８の回転軸方向と略垂直な方向からフォーカス摘み８に取り付けるようにしてあり、フォーカス摘み８の回転軸方向において取付部の位置がずれにくくなるから、回転作業を安定して行うことができる。
【００３１】
操作具１１は取付部としての取付金具１６とクランクハンドル１３とで構成される。取付金具１６は弾性を有する板金に抜き加工及び曲げ加工を施すことによって形成され、幅寸法がフォーカス摘み８の厚み寸法よりも若干小さい寸法に形成された短冊状の中央片１６ａと、この中央片１６ａの前後方向の両側縁からそれぞれ一方向に突出する側片１６ｂ，１６ｃとで側面視の形状が略コ字状に形成されている。また中央片１６ａの左右方向略中央には貫通孔１６ｅが形成され、さらに側片１６ｃの先端縁の左右方向略中央には、フォーカス摘み８の軸部８ｄを逃がすためのＵ字状の切欠１６ｄが形成されている。
【００３２】
そして、後側の側片１６ｂは断面略Ｚ字状に折り曲げられ、中央片１６ａとの連結部側に比べて先端側が後方に後退しており、この先端側の部位に設けた挿通孔（図示せず）に横棒部１３ａの先端に設けたねじ部（図示せず）を通して、挿通孔から突出するねじ部にナット１７を螺合させることで、クランクハンドル１３の横棒部１３ａが側片１６ｂに固定されている。
【００３３】
この操作具１１をフォーカス摘み８に取り付ける際には、取付金具１６の両側片１６ｂ，１６ｃの間にフォーカス摘み８の回転軸方向と略直交する方向からフォーカス摘み８を差し込み、フォーカス摘み８の軸部８ｄを側片１６ｃの切欠１６ｄに係合させるとともに、フォーカス摘み８の隣接する２つの凹曲面８ａの間の突出部８ｅを中央片１６ａに設けた貫通孔１６ｅから上方に突出させる。ここで、取付金具１６は弾性を有する板金により形成されており、中央片１６ａの幅寸法はフォーカス摘み８の厚み寸法よりも若干小さい寸法に形成されているので、側片１６ｂ，１６ｃの間にフォーカス摘み８を挿入すると、中央片１６ａが撓んで側片１６ｂ，１６ｃが外側に広げられるから、取付金具１６の弾性によって取付金具１６がフォーカス摘み８に保持される。また中央片１６ａの貫通孔１６ｅにフォーカス摘み８の突出部８ｅが係合することによって、フォーカス摘み８の回り止めが為されている。なお、操作具１１をフォーカス摘み８から取り外す際には、操作具１１を差込方向と反対側に引っ張ると、側片１６ｂ，１６ｃの間からフォーカス摘み８が抜けるので、フォーカス摘み８から容易に取り外すことができる。
【００３４】
そして、操作具１１をフォーカス摘み８に装着した状態で、クランクハンドル１３の横棒部１３ｂに取着されたスペーサ１４を手に持って回すことで、操作具１１を介してフォーカス摘み８を回転させることができ、スペーサ１４を握り直すことなく何回転でも回すことができるから、従来に比べて調整作業の作業性が向上する。なお、スペーサ１４を無くして横棒部１３ｂを直接手に持って回すようにしても良く、この場合は横棒部１３ｂを持つ手を緩めることによって手の中で横棒部１３ｂを滑らせることができるから、横棒部１３ｂを握り直すことなく何回転でも回転させることができる。また、図６で説明したように横棒部１３ａに対してスペーサ１４を回動自在に取り付けるようにしても良く、実施形態１と同様に横棒部１３ａに取着されたスペーサ１４を片方の手で持って、取付金具１６がフォーカス摘み８から外れないようにした状態で、横棒部１３ｂに取着されたスペーサ１４をもう片方の手に持って回すことができ、より安定に回転作業を行うことができる。
【００３５】
ところで、上述の各実施形態ではフォーカス摘み８に対してクランクハンドル１３を着脱自在に取り付けるようにしているが、図１０（ａ）に示すようにフォーカス摘み８の代わりにクランクハンドル１３をガイド棒７ａに直接取り付けることも考えられる。この場合、クランクハンドル１３の操作性を向上させるためには、クランクハンドル１３の横棒部１３ａと横棒部１３ｂとの間の距離Ａを長くとる必要があるが、距離Ａを長くとると、図１０（ｂ）（ｃ）に示すようにクランクハンドル１３の横棒部１３ｂが取っ手１０やアーム９と干渉する可能性があり、図１０（ｄ）に示すように取っ手１０やアーム９との干渉を避けるために距離Ａを小さく設定すると、クランクハンドル１３の操作性が悪くなってしまう。また、この照明器具を昇降バトンに取り付けた場合、長尺の所謂シュート棒を用いて上方に設置された照明器具のフォーカス摘み８を回転させて、照射面の大きさを微調整する場合があるので、フォーカス摘み８は舞台やスタジオで使用されるスポットライトには必要な部品である。したがって、照明器具の構成は従来のものと同様にして、照射面の大きさを調整する際にフォーカス摘み８に上述の操作具１１を取り付けて、調整作業を行うのが好ましい。
【００３６】
また、ガイド棒７ａに対してフォーカス摘み８の代わりに上述のクランクハンドル１３を直接取り付け、さらにこのクランクハンドル１３の横棒部１３ａ，１３ｂや縦棒部分を伸縮自在とすることも考えられ、調整作業を行わない場合には横棒部１３ａ，１３ｂや縦棒部分を縮めてアーム９や取っ手１０との干渉を避けるとともに、調整作業を行う際には横棒部１３ａ，１３ｂや縦棒部分を伸ばして調整作業を容易に行えるようにしても良いが、調整作業を行う際にその都度クランクハンドル１３を伸ばして調整作業を行うのは、全体の作業量を考えると作業性が向上したとは言いにくく、また現在使用している照明器具のフォーカス摘み８をクランクハンドル１３に取り替えなければならないため、照明器具の構成はそのままとし、フォーカス摘み８に上述の操作具１１を取り付けて調整作業を行うのが好ましい。
【図面の簡単な説明】
【００３７】
【図１】実施形態１を示し、（ａ）は操作具を照明器具に取り付ける前の状態の外観斜視図、（ｂ）は操作具を照明器具に取り付けた状態の外観斜視図である。
【図２】同上の操作具の外観斜視図である。
【図３】同上の操作具をフォーカス摘みに取り付ける前の状態を示す要部断面図である。
【図４】同上の別の操作具を示し、（ａ）は外観斜視図、（ｂ）はフォーカス摘みに取り付けた状態の外観斜視図である。
【図５】（ａ）（ｂ）は同上のまた別の操作具をフォーカス摘みに取り付ける前の状態の外観斜視図である。
【図６】同上のさらに別の操作具を示し、（ａ）は外観斜視図、（ｂ）は側断面図である。
【図７】同上の駆動部を説明する要部拡大斜視図である。
【図８】同上の駆動部を説明する要部拡大図である。
【図９】同上の別の駆動部を説明する要部拡大斜視図である。
【図１０】（ａ）〜（ｄ）は同上の参考例を示す外観斜視図である。
【図１１】実施形態２を示し、（ａ）（ｂ）は操作具を照明器具に取り付ける前の状態の説明図である。
【図１２】同上を示し、（ａ）（ｂ）は操作具を照明器具に取り付けた状態の説明図である。
【図１３】従来の照明器具の断面図である。
【図１４】（ａ）（ｂ）は同上の外観斜視図である。
【符号の説明】
【００３８】
１    灯体
８    フォーカス摘み
１１  操作具
１２  取付部
１３  クランクハンドル
１３ａ，１３ｂ  横棒部
１４  スペーサ
【図１】
2005332624.tif 000003
【図２】
2005332624.tif 000004
【図３】
2005332624.tif 000005
【図４】
2005332624.tif 000006
【図５】
2005332624.tif 000007
【図６】
2005332624.tif 000008
【図７】
2005332624.tif 000009
【図８】
2005332624.tif 000010
【図９】
2005332624.tif 000011
【図１０】
2005332624.tif 000012
【図１１】
2005332624.tif 000013
【図１２】
2005332624.tif 000014
【図１３】
2005332624.tif 000015
【図１４】
2005332624.tif 000016